(57)【要約】【課題】  遊技盤及び支持部材の本体基部への取り付け、本体基部からの取り外しの作業を効率的に行う。【解決手段】  遊技盤５を制御回路ユニット６の収容部２１に嵌め込んだ後、回動片２４を遊技盤５の前面に係止させて遊技盤５と制御回路ユニット６とを一体化する。遊技盤５と制御回路ユニット６とを一体化させたままの状態で、遊技盤５及び制御回路ユニット６を本体基部３の前面側から本体基部３に取り付ける。制御回路ユニット固定部材２６の係止部２６ａを取り外し位置にセットした後、制御回路ユニット６の挿通孔２５に係止部２６ａを挿通させる。制御回路ユニット固定部材２６の係止部２６ａを取り外し位置から固定位置に回動させる。これにより制御回路ユニット６と本体基部とが一体化する。【選択図】        図２
2005349098.tif 000002
【特許請求の範囲】
【請求項１】
遊技球が打ち出される遊技領域が形成された遊技盤と、
前記遊技領域とは反対側となる前記遊技盤の背面側に、ハズレ又は当たりを決定する抽選を行う制御回路装置を支持する装置支持部、及び前記遊技球が流下する球通路の少なくともいずれか一方が設けられた支持部材と、
前記遊技盤及び前記支持部材が取り付けられる本体基部と、を備えた遊技機において、
前記支持部材に、前記遊技盤が嵌め込まれる収容部を設けるとともに、前記遊技盤と前記支持部材とを一体化し、且つ該一体化を解除する第１一体化手段を設け、
前記本体基部及び前記支持部材の少なくともいずれか一方に前記支持部材と前記本体基部とを一体化し、且つ該一体化を解除する第２一体化手段を設けたことを特徴とする遊技機。
【請求項２】
前記第２一体化手段は、前記支持部材又は前記収容部に形成された挿通孔と、
前記本体基部に設けられ、前記挿通孔に挿通されることにより前記挿通孔に係止する係止部材と、から構成されることを特徴とする請求項１記載の遊技機。
【請求項３】
前記遊技盤の背面、及び前記遊技盤が前記収容部に嵌め込まれる際に前記背面と対向する前記支持部材の前面のいずれか一方に突起を、他方に前記突起と対向する孔部を設け、前記突起を前記孔部に挿入することにより前記遊技盤が前記収容部に嵌め込まれることを特徴とする請求項１又は２記載の遊技機。
【請求項４】
前記収容部は、前記遊技盤の背面が当接される平坦面と、
前記平坦面に立設され、前記遊技盤の側面を支持する縁と、から構成されることを特徴とする請求項１ないし３のいずれか１つに記載の遊技機。
【請求項５】
前記縁に切り欠きを形成し、前記収容部に前記遊技盤が嵌め込まれた際に、前記切り欠きから前記遊技盤の前記側面の一部が露呈されることを特徴とする請求項４記載の遊技機。
【請求項６】
前記第１一体化手段は、前記縁又は前記支持部材に設けられ、前記収容部に嵌め込まれている前記遊技盤に係止する係止位置と、前記係止を解除する解除位置との間で移動自在である移動部材からなることを特徴とする請求項４又は５記載の遊技機。
【請求項７】
遊技球が打ち出される遊技領域が形成された遊技盤と、
前記遊技領域とは反対側となる前記遊技盤の背面側に、ハズレ又は当たりを決定する抽選を行う制御回路装置を支持する装置支持部、及び前記遊技球が流下する球通路の少なくともいずれか一方が設けられた支持部材と、
前記支持部材及び前記遊技盤が前方から取り付けられる本体基部と、を備え、
前記支持部材に、前記遊技盤が嵌め込まれる収容部を設けるとともに、前記遊技盤と前記支持部材とを一体化し、且つ該一体化を解除する第１一体化手段を設け、
前記本体基部及び前記支持部材の少なくともいずれか一方に前記支持部材と前記本体基部とを一体化し、且つ該一体化を解除する第２一体化手段を設けた遊技機における遊技盤及び支持部材の本体基部への取り付け方法であって、
前記遊技盤を前記収容部に嵌め込んだ後、前記第１一体化手段により前記遊技盤と前記支持部材とを一体化し、前記遊技盤と前記支持部材とを一体化させたままの状態で、前記遊技盤及び前記支持部材を、遊技を行う際に遊技者と対面する側となる前記本体基部の前面側から前記本体基部に取り付けるとともに、前記第２一体化手段により前記支持部材と前記本体基部とを一体化することを特徴とする遊技機における遊技盤及び支持部材の本体基部への取り付け方法。
【発明の詳細な説明】
【技術分野】
【０００１】
本発明は、パチンコ店などの遊技場に設置して使用されるパチンコ機などの遊技機、遊技機における遊技盤及び支持部材の本体基部への取り付け方法に関するものである。
【背景技術】
【０００２】
遊技場に設置される遊技機としてパチンコ機が挙げられる。パチンコ機を構成する基体となる本体基部には、パチンコ球（遊技球）が打ち出される遊技領域が形成された遊技盤、遊技の際に作動される駆動装置の作動を制御する作動制御装置（制御回路装置）、液晶パネルなどを支持するとともに、パチンコ球の球通路が設けられた支持部材が取り付けられている。本体基部の前面には、遊技領域を視認させる窓部を備えた前面扉が回動自在に取り付けられている。前面扉は遊技盤や支持部材を本体基部に取り付けたり、あるいは遊技盤や支持部材を本体基部から取り外したりする際に開閉される。設置されているパチンコ機のデザインを一新したり、あるいは遊技性の異なるパチンコ機へ交換する場合には、遊技場で新たな機種のパチンコ機と設置中の古い機種のパチンコ機とが本体基部ごと全て交換される。
【０００３】
ところで、パチンコ機は機種に関わらず多くの共通部品が使用されているが、本体基部などを交換してしまうと、共通部品も同時に交換することになって共通部品をリユースできなくなり、機種交換に伴うコストが高くなってしまう。このため、例えば機種の入れ替えや破損や故障などによって、遊技機の交換を行うにあたって共通部品を遊技場に据え置きとし、変更となる部品のみを交換することが可能なパチンコ機を提供することが検討されている。例えば、遊技盤のみを交換することができるように遊技盤と支持部材とを別個にして、本体基部に支持部材を取り付けて、遊技盤を支持部材に着脱自在に設ける。これにより、作動制御装置を支持部材とともに本体基部に据え置き、遊技盤のみを新たなパチンコ機に対応した遊技盤に容易に交換することができる。
【発明の開示】
【発明が解決しようとする課題】
【０００４】
しかしながら、上述したように支持部材を本体基部に据え置きにした場合、例えば、作動制御装置や球通路などのメンテナンスや交換などの作業を行う際には、遊技盤を支持部材から取り外した後に、支持部材が本体基部に据え置かれている状態で作動制御装置や球通路を取り外したり、あるいは支持部材ごと本体基部から取り外さなければならないため、取り外し作業が面倒になってしまうといった問題が生じる。また、遊技盤及び支持部材を新しいものに交換する場合についても、本体基部から遊技盤を取り外した後に支持部材を取り外さなければならず、やはり取り外し作業が面倒であるといった問題が生じてしまう。
【０００５】
遊技盤及び支持部材をまとめて本体基部から取り外すために、例えば、遊技盤と支持部材とをネジ止めにより一体化させてから本体基部に取り付ける方法が考えられるが、この場合、遊技盤と支持部材とのいずれか一方のみのメンテナンスや交換などを行う際に、ネジ止めにより一体化した遊技盤と支持部材とを一旦本体基部から取り外してから遊技盤と支持部材とのネジ止めを解除しなければならず、やはり作業が面倒になるといった問題が生じる。
【０００６】
本発明は、上記課題を解決するためになされたものであり、機種の入れ替えや破損や故障などによって遊技機の交換を行うにあたって、状況に応じたコストダウンを図り、さらに、遊技盤及び支持部材の本体基部への取り付け、本体基部からの取り外しの作業を状況に応じて効率的に行うことができるようにした遊技機、及び遊技機における遊技盤及び支持部材の本体基部への取り付け方法を提供することを目的とする。
【課題を解決するための手段】
【０００７】
上記目的を達成するために、本発明の遊技機は、遊技球が打ち出される遊技領域が形成された遊技盤と、前記遊技領域とは反対側となる前記遊技盤の背面側に、ハズレ又は当たりを決定する抽選を行う制御回路装置を支持する装置支持部、及び前記遊技球が流下する球通路の少なくともいずれか一方が設けられた支持部材と、前記遊技盤及び前記支持部材が取り付けられる本体基部と、を備えたものであり、前記支持部材に、前記遊技盤が嵌め込まれる収容部を設けるとともに、前記遊技盤と前記支持部材とを一体化し、且つ該一体化を解除する第１一体化手段を設け、前記本体基部及び前記支持部材の少なくともいずれか一方に前記支持部材と前記本体基部とを一体化し、且つ該一体化を解除する第２一体化手段を設けたことを特徴とする。
【０００８】
前記第２一体化手段は、前記支持部材又は前記収容部に形成された挿通孔と、前記本体基部に設けられ、前記挿通孔に挿通されることにより前記挿通孔に係止する係止部材とから構成されることが好ましい。
【０００９】
前記遊技盤の背面、及び前記遊技盤が前記収容部に嵌め込まれる際に前記背面と対向する前記支持部材の前面のいずれか一方に突起を、他方に前記突起と対向する孔部を設け、前記突起を前記孔部に挿入することにより前記遊技盤が前記収容部に嵌め込まれることが好ましい。
【００１０】
前記収容部は、前記遊技盤の背面が当接される平坦面と、前記平坦面に立設され、前記遊技盤の周縁を支持する縁とから構成されることが好ましい。
【００１１】
前記縁に切り欠きを形成し、前記収容部に前記遊技盤が嵌め込まれた際に、前記切り欠きから前記遊技盤の前記側面の一部が露呈されることが好ましい。
【００１２】
前記第１一体化手段は、前記縁又は前記支持部材に設けられ、前記収容部に嵌め込まれている前記遊技盤に係止する係止位置と、前記係止を解除する解除位置との間で移動自在である移動部材からなることが好ましい。
【００１３】
本発明の遊技機における遊技盤及び支持部材の本体基部への取り付け方法は、遊技球が打ち出される遊技領域が形成された遊技盤と、前記遊技領域とは反対側となる前記遊技盤の背面側に、ハズレ又は当たりを決定する抽選を行う制御回路装置を支持する装置支持部、及び前記遊技球が流下する球通路の少なくともいずれか一方が設けられた支持部材と、前記支持部材及び前記遊技盤が前方から取り付けられる本体基部と、を備え、前記支持部材に、前記遊技盤が嵌め込まれる収容部を設けるとともに、前記遊技盤と前記支持部材とを一体化し、且つ該一体化を解除する第１一体化手段を設け、前記本体基部及び前記支持部材の少なくともいずれか一方に前記支持部材と前記本体基部とを一体化し、且つ該一体化を解除する第２一体化手段を設けた遊技機における遊技盤及び支持部材の本体基部への取り付け方法であって、前記遊技盤を前記収容部に嵌め込んだ後、前記第１一体化手段により前記遊技盤と前記支持部材とを一体化し、前記遊技盤と前記支持部材とを一体化させたままの状態で、前記遊技盤及び前記支持部材を、遊技を行う際に遊技者と対面する側となる前記本体基部の前面側から前記本体基部に取り付けるとともに、前記第２一体化手段により前記支持部材と前記本体基部とを一体化することを特徴とする。
【発明の効果】
【００１４】
本発明の遊技機は、支持部材に、遊技盤が嵌め込まれる収容部を設けるとともに、遊技盤と支持部材とを一体化し、且つ該一体化を解除する第１一体化手段を設け、本体基部及び支持部材の少なくともいずれか一方に支持部材と本体基部とを一体化し、且つ該一体化を解除する第２一体化手段を設け、遊技盤を収容部に嵌め込んだ後、第１一体化手段により遊技盤と支持部材とを一体化し、遊技盤と支持部材とを一体化させたままの状態で、遊技盤及び支持部材を、遊技を行う際に遊技者と対面する側となる本体基部の前面側から本体基部に取り付けるとともに、第２一体化手段により支持部材と本体基部とを一体化することにより、遊技盤と支持部材とをまとめて本体基部に取り付けるようにしたので、遊技盤及び支持部材の本体基部への取り付けを容易に行うことができる。また、第２一体化手段により支持部材と本体基部とを一体化させた後、第１一体化手段により遊技盤と支持部材とを一体化することによって支持部材と遊技盤とを別々にして順次に本体基部に取り付けることもできる。また、遊技盤及び支持部材を本体基部から取り外す際には、第１一体化手段により遊技盤と支持部材とを一体化させたままの状態で、支持部材と本体基部との一体化を解除することにより、遊技盤及び支持部材をまとめて本体基部から取り外すことができる。また、第２一体化手段により支持部材と本体基部とを一体化させたままの状態で、遊技盤と支持部材との一体化を解除することにより遊技盤のみを本体基部から取り外すことができる。よって、遊技盤及び支持部材の本体基部への取り付け、本体基部からの取り外しの作業を状況に応じて効率的に行うことが可能となる。しかも、機種の入れ替えや破損や故障などによって遊技機の交換を行うにあたって、必要な箇所のみを取り外せるため、状況に応じたコストダウンを図ることができる。
【００１５】
第２一体化手段は、支持部材又は収容部に形成された挿通孔と、本体基部に設けられ、挿通孔に挿通されることにより挿通孔に係止する係止部材とから構成されるので、挿通孔に係止部材を挿入することにより位置決めを行えるため、支持部材を本体基部の適切な位置に迅速に取り付けることができる。また、挿通孔から係止突起を引き抜くだけで遊技盤を支持部材から容易に取り外すことができる。このように、簡便で、且つ低コストな構造で支持部材と本体基部との一体化、及び該一体化の解除を実行することができる。
【００１６】
遊技盤の背面、及び遊技盤が収容部に嵌め込まれる際に前記背面と対向する支持部材の前面のいずれか一方に突起を、他方に突起と対向する孔部を設け、突起を孔部に挿入することにより遊技盤が収容部に嵌め込まれるので、遊技盤を支持部材の適切な位置に迅速に取り付けることができる。
【００１７】
収容部は、遊技盤の背面が当接される平坦面と、平坦面に立設され、遊技盤の周縁を支持する縁とから構成されるので、遊技盤を収容部に嵌め込む際の位置決めを正確、且つ容易に行うことができる。これにより遊技盤を支持部材の適切な位置に迅速に取り付けることができる。また、遊技盤を支持部材に取り付ける際、遊技盤を収容部の縁で仮保持しながら突起を孔部に挿入することができるので、遊技盤の支持部材への取り付け作業を容易に行うことができるようになる。さらに、遊技盤を支持部材から取り外す場合、遊技盤は収容部の縁で保持されながら取り外されるので、遊技盤の落下を防ぐことができる。
【００１８】
縁に切り欠きを形成し、収容部に遊技盤が嵌め込まれた際に、切り欠きから遊技盤の側面の一部が露呈されるので、遊技盤の収容部への嵌め込み、あるいは遊技盤の収容部からの取り出し作業を容易に行うことができる。特に、収容部から遊技盤を取り出す場合には、切り欠きから露呈された遊技盤の側面を掴むことにより、収容部から遊技盤を迅速に取り出すことができる。
【００１９】
第１一体化手段は、縁又は支持部材に設けられ、収容部に嵌め込まれている遊技盤に係止する係止位置と、係止を解除する解除位置との間で移動自在である移動部材からなるので、移動部材を解除位置にセットし、遊技盤を収容部に嵌め込んだ後、移動部材を解除位置から係止位置に移動させるだけで、遊技盤と支持部材とを容易に一体化させることができる。また、移動部材を係止位置から解除位置に移動させるだけで遊技盤を支持部材から容易に取り外すことができる。このように、簡便で、且つ低コストな構造で遊技盤と支持部材との一体化、及び該一体化の解除を実行することができる。
【発明を実施するための最良の形態】
【００２０】
以下、本発明の実施形態を図面に基づいて説明する。図１及び図２に示すように、パチンコ機（遊技機）２は、本体基部３、前面扉４、遊技盤５、制御回路ユニット６から構成されている。本体基部３は上部と下部とに大別することができ、上部は枠状に形成されている。本体基部３の内部には遊技盤５、及び制御回路ユニット６が配設されており、遊技盤５の遊技を行う際に遊技者と対面する側となる前面側には前面扉４が設けられている。前面扉４はヒンジ７により本体基部３に回動自在に軸着されている。前面扉４の中央には開口（不図示）が形成されており、この開口は前面扉４の裏側に取り付けられるガラス扉８のガラス板９により遮蔽されている。前面扉４の下方、つまり、本体基部３の下部には、パチンコ球（遊技球）を供給する供給皿１０及びパチンコ球の打ち出し強さを調節する操作ハンドル１１が設けられている。供給皿１０にパチンコ球が投入されると、内部に設けられた通路によりパチンコ球は発射装置（不図示）へと誘導される。そして、操作ハンドル１１が操作されると遊技盤５上にパチンコ球が打ち出される。
【００２１】
遊技盤５は略矩形状に形成されている。遊技盤５の前面にはガイドレール１２に囲まれた遊技領域５ａが形成されている。遊技領域５ａの中央には略矩形状の開口５ｂが形成され、開口５ｂの外周を取り囲むように役物１３が設けられている。その他に、開口５ｂの周辺には始動入賞口１４、通常入賞口１５、アタッカ１６、アウト口１７が設けられている。
【００２２】
遊技領域５ａ内を流下するパチンコ球は、始動入賞口１４または通常入賞口１５またはアタッカ１６等の所定入賞口のいずれかに入賞するか、あるいはアウト口１７から回収される。なお、パチンコ機２における釘、風車などの構造物は公知であるので説明は省略する。また、前面扉４が閉じている場合には、遊技者や遊技場の作業者は、前面扉４のガラス板９を通して遊技領域５ａを視認することができるが、この状態では遊技領域５ａに形成された構造物には触れることができないようになっている。
【００２３】
遊技領域５ａとは反対側となる遊技盤５の背面５ｃの左上、右上、左下及び右下のそれぞれには円柱状の突起５ｄが設けられている。
【００２４】
制御回路ユニット６は、支持部材１８、球通路１９、及び制御回路装置２０から構成されている。支持部材１８は、遊技を行う際に遊技者と対面する面となる前面（平坦面）１８ａと、この前面１８ａとは反対側の面である背面１８ｂとが共に平らに形成された略矩形状の薄板であり、遊技盤５及び制御回路装置２０を支持する。支持部材１８は、遊技盤５の遊技領域５ａとは反対側の遊技盤５の背面５ｃ側に配置される。そして、支持部材１８は、その前面１８ａ側で遊技盤５を支持し、背面（基板支持部）１８ｂ側で制御回路装置２０を支持している。
【００２５】
支持部材１８の前面１８ａ、すなわち、遊技盤５を支持する際に遊技盤５の背面５ｃに当接する面の中央部には、パチンコ球が上述した各入賞口に入賞した後に流下する球通路１９が設けられている。各入賞口に入賞したパチンコ球は球通路１９よって供給皿１０やパチンコ機２の内部、あるいは外部に設けられている貯留タンク（不図示）などに誘導される。
【００２６】
支持部材１８の前面１８ａの左上、右上、左下、及び右下のそれぞれには、遊技盤５の突起５ｄと対向するように貫通孔（孔部）１８ｃが形成されている。貫通孔１８ｃは突起５ｄが挿通可能な大きさに形成されており、突起５ｄを貫通孔１８ｃに挿入することにより遊技盤５が後述する収容部２１に嵌め込まれる。
【００２７】
支持部材１８の前面１８ａには遊技盤５が嵌め込まれる収容部２１が設けられている。収容部２１は、遊技盤５の背面５ｃが当接される支持部材１８の前面１８ａと、この前面１８ａから前方に向けて突出するように支持部材１８の前面１８ａの上部に立設された上部縁２２と、前面１８ａの下部に立設された下部縁２３とから構成されている。なお、支持部材１８と上部縁２２、支持部材１８と下部縁２３は一体に形成されていても良い。
【００２８】
上部縁２２及び下部縁２３は共に略コ字形状に形成されており、その断面は略Ｌ字形状に屈曲して形成されている。上部縁２２は支持部材１８の上縁、及び左右側縁の上部に沿うように、下部縁２３は支持部材１８の下縁、及び左右側縁の下部に沿うように設けられている。つまり、上部縁２２と下部縁２３とは、上部縁２２の両端面と下部縁２３の両端面とが鉛直方向で一定の間隔をおいて対面するように配置されており、支持部材１８の前面１８ａの上部と下部とで対称の位置関係になっている。
【００２９】
なお、上述した「一定の間隔」とは、収容部２１に遊技盤５が嵌め込まれた際に、遊技盤５の両側面の一部を把持できるように露呈させるだけの間隔を示す。これにより収容部２１に嵌め込まれている遊技盤５を取り外す場合には、その露呈された箇所を把持して遊技盤５を収容部２１から取り外すことが可能となる。また、上部縁２２及び下部縁２３の支持部材１８の前面１８ａから突出している方向の長さは、遊技盤５の厚みと同じ長さになるように設計されている。つまり、上部縁２２及び下部縁２３は、遊技盤５が収容部２１に嵌め込まれ、遊技盤５の背面５ｃが支持部材１８の前面１８ａに当接した際に、上部縁２２及び下部縁２３のそれぞれの前面と遊技盤５の前面とが同一の高さになるように設計されている。ゆえに、遊技盤５の背面５ｃが支持部材１８の前面１８ａに突き当てられ、遊技盤５が収容部２１に完全に嵌め込まれた際には、上部縁２２及び下部縁２３のそれぞれの前面と遊技盤５の前面とにより一連の面が形成される。
【００３０】
上部縁２２における支持部材１８の左側縁に沿って形成されている箇所の前面、上部縁２２における支持部材１８の右側縁に沿って形成されている箇所の前面、下部縁２３における支持部材１８の左側縁に沿って形成されている箇所の前面、及び下部縁２３における支持部材１８の右側縁に沿って形成されている箇所の前面のそれぞれには、略直方形状の回動片（移動部材）２４が摩擦機能により所望の角度でフリーストップできるように回動自在に設けられている。上部縁２２の回動片２４について説明すると、回動片２４の基端部は上部縁２２の前面に軸支され、先端部は基端部を中心にして円軌道を描くように回動される。このようにして、回動片２４は、先端部を球通路１９側に突出させることにより収容部２１に嵌め込まれた遊技盤５の前面に係止する係止位置と、この係止位置から退避して前記係止を解除する解除位置との間で回動自在（移動自在）になっている。なお、下部縁２３の回動片２４も同様の構成になっている。
【００３１】
回動片２４を解除位置にセットすることにより遊技盤５の収容部２１への嵌め込み、及び収容部２１に嵌め込まれている遊技盤５の取り出しが可能となる。遊技盤５を収容部２１に嵌め込んだ後、回動片２４を図中の円弧矢印方向に回動させて係止位置にセットすることにより、遊技盤５は前方から回動片２４で押さえ付けられた状態になる。これにより遊技盤５と支持部材１８とが一体化する。つまり、遊技盤５と制御回路ユニット６とが一体化した状態になる。このように本実施形態では、回動片２４が、遊技盤５と支持部材１８とを一体化し、且つ該一体化を解除する第１一体化手段として機能する。
【００３２】
上部縁２２における支持部材１８の上縁に沿って形成されている箇所の中央部、及び下部縁２３における支持部材１８の下縁に沿って形成されている箇所の中央部には、一対の挿通孔２５が形成されている。この挿通孔２５には後述する本体基部３の制御回路ユニット固定部材２６が挿通される。
【００３３】
制御回路装置２０は支持部材１８の背面１８ｂに図示しないネジによって固定されている。制御回路装置２０は、メイン制御基板２０ａ、サブ制御基板２０ｂなどから構成されている。また、制御回路ユニット６は図柄表示装置２７を備えており、図柄表示装置２７は、液晶パネル２７ａが支持部材１８の前面１８ａ側に突出するように支持部材１８に取り付けられている。遊技盤５が支持部材１８の収容部２１に嵌め込まれた際、図柄表示装置２７の液晶パネル２７ａは遊技盤５の開口５ｂから露呈される。
【００３４】
パチンコ機２はメイン制御基板２０ａに設けられたＣＰＵ（不図示）によって管制される。メイン制御基板２０ａは、機種に応じた遊技の実行処理を行い、さらに、サブ制御基板２０ｂに対して命令を行うための制御を行う。例えば、始動入賞口１３に設けられている始動入賞口入賞球検出センサ（不図示）によりパチンコ球の入賞が検出されると、メイン制御基板２０ａのＣＰＵにスタート信号が入力される。メイン制御基板２０ａはスタート信号に応答してハズレ又は当たりを決定する抽選を行い、抽選結果に応じた命令信号をサブ制御基板２０ｂに出力する。サブ制御基板２０ｂは、命令信号に基づいて図柄表示装置２７の表示制御、ランプ２８の点灯制御、スピーカー２９から出力される音声制御などの各駆動装置の作動を制御する。
【００３５】
枠状に形成されている本体基部３の上部において、その内壁面３ａには制御回路ユニット６が取り付けられる略矩形状の取り付け枠３０が設けられている。取り付け枠３０の遊技を行う際に遊技者と対面する側となる前面側には遊技盤５及び制御回路ユニット６を本体基部３内に収容するためのスペースが設けられており、本体基部３の上部は、取り付け枠３０の前面３０ａと内壁面３ａとにより前面側から見て一段凹んだ状態になっている。取り付け枠３０の中央部には略矩形状の開口３ｂが形成されている。図３及び図４に示すように、制御回路ユニット６を取り付け枠３０に取り付ける場合、取り付け枠３０の前面３０ａに上部縁２２の背面が突き当てられ、開口３ｂには制御回路ユニット６の制御回路装置２０が嵌め込まれる。
【００３６】
取り付け枠３０の前面３０ａの上部及び下部のそれぞれには、上部縁２２の挿通孔２５及び下部縁２３の挿通孔２５の位置に対応するように、制御回路ユニット６を本体基部３に着脱自在に取り付けるための制御回路ユニット固定部材（係止部材）２６が１つずつ設けられている。制御回路ユニット固定部材２６は係止部２６ａと軸部２６ｂとを備えている。軸部２６ｂは上部縁２２及び下部縁２３のそれぞれの厚さよりもやや長く形成されている。
【００３７】
本体基部３の内壁面３ａのうち、取り付け枠３０の下部に設けられている制御回路ユニット固定部材２６の真下にあたる箇所には、制御回路ユニット固定部材２６の係止部２６ａを後述する固定位置に回動させた際に係止部２６ａと本体基部３の内壁面３ａとの干渉を回避するための逃げとして機能する略矩形状の切り欠き３ｃが形成されている。
【００３８】
図５に示すように、取り付け枠３０に設けられている制御回路ユニット固定部材２６の
係止部２６ａは長細い直方形状に形成されている。係止部２６ａは軸部２６ｂを中心に回動自在に軸支されており、制御回路ユニット６が本体基部３に取り付けられていない状態では図に示すように長手方向が水平に向けられた取り外し位置にセットされている。
【００３９】
上部縁２２及び下部縁２３の挿通孔２５は係止部２６ａが挿入可能な大きさで、且つ左右に延びる長孔状に形成されており、制御回路ユニット固定部材２６の係止部２６ａを挿通孔２５に挿通させながら上部縁２２及び下部縁２３のそれぞれの背面を取り付け枠３０の前面３０ａに突き当てると、係止部２６ａが挿通孔２５から回動自在となるように突出する。
【００４０】
図６に示すように、係止部２６ａが挿通孔２５から突出した状態で、その長手方向が鉛直となるように係止部２６ａを９０度回転させると、係止部２６ａは、制御回路ユニット６の取り外しが不能になる固定位置にセットされる。係止部２６ａの固定位置への回動によって、係止部２６ａが挿通孔２５を通過不能となり、上部縁２２及び下部縁２３のそれぞれに形成されている挿通孔２５の縁に係止する。これにより本体基部３と支持部材１８とが一体化する。つまり、本体基部３と制御回路ユニット６とが一体化した状態になる。また、係止部２６ａを取り外し位置にセットして、係止部２６ａが挿通孔２５を通過可能な状態にすることにより本体基部３と制御回路ユニット６との一体化が解除され、本体基部３から制御回路ユニット６を取り外すことが可能となる。
【００４１】
このように本実施形態では、本体基部３と支持部材１８とを一体化し、且つ該一体化を解除する第２一体化手段は、挿通孔２５と、この挿通孔２５に挿通されることにより挿通孔２５の縁に係止する制御回路ユニット固定部材２６とから構成される。
【００４２】
図２に示すように、前面扉４のヒンジ７の取り付け側と反対側の内壁面には施錠装置３１が取り付けられている。図７に示すように、施錠装置３１は、前面扉４の内壁面に取り付けられた固定部材３２と、この固定部材３２に上下方向に摺動可能に取り付けられた可動部材３３と、本体基部３の内壁面３ａ（図２の正面から向かって右側の内壁面）に設けられた突出片３４とから構成されている。固定部材３２に支持された可動部材３３は、本体基部３の突出片３４に係合し、前面扉４と本体基部３とをロックまたはロック解除する。
【００４３】
固定部材３２には、ピン３５及びストッパー３６が設けられており、これらを可動部材３３に係止させることによって、固定部材３２に可動部材３３が上下に移動自在に支持されている。また、前面扉４にはバネ３７が取り付けられており、バネ３７の付勢によって可動部材３３が上方向に付勢される。可動部材３３の前面扉４側の上下端部には矩形の切り欠き３８が形成されている。切り欠き３８の一端部３８ａがストッパー３６に係止すると可動部材３３の移動が規制される。
【００４４】
可動部材３３には、係止片３９が本体基部３側の上下端部の２箇所に設けられている。係止片３９には、斜辺３９ａと溝部３９ｂとが形成されている。可動部材３３はバネ３７の弾性復元力によって上方向に付勢されているので、溝部３９ｂが突出片３４に引っ掛かって係止されることで、前面扉４が本体基部３に対して開放不能となるようにロックされた状態になる。
【００４５】
前面扉４の前面には鍵穴４ａが設けられている（図１参照）。鍵穴４ａの内部には、特に図示しないが、所定の鍵を差し込むと嵌り合う溝を有する開錠用鍵と、開錠用鍵から前面扉４の可動部材３３に向かって延びる開錠用シャフト４０が設けられている。開錠用シャフト４０の先端には、突部４１ａを有する開錠用カム４１が形成されている。可動部材３３の開錠用カム４１に対応する位置には開口４２が形成されており、開口４２に開錠用カム４１の突部４１ａが嵌り込んで係止されている。
【００４６】
前面扉４と本体基部３とのロックを解除するときは、鍵穴４ａに所定の鍵を差し込んで所定方向に回転させ、開錠用シャフト４０の先端に設けられた開錠用カム４１を、前面扉４の正面から見て時計周りに回転させる。これにより、開錠用シャフト４０が回転して開錠用カム４１の突部４１ａが開口４２の端部に係止し、可動部材３３が開錠用カム４１の突部４１ａによって押し下げられる。可動部材３３が押し下げられると、係止片３９の溝部３９ｂから係止片３９が外れて、前面扉４が本体基部３に対して開放可能となるようにロックが解除された状態になる。
【００４７】
前面扉４を本体基部３にロックされた状態にするには、開放された状態の前面扉４を閉じる方向に変位させると、係止片３９の斜辺３９ａが突出片３４に当接する。斜辺３９ａが突出片３４に当接した後、さらに前面扉４を閉じる方向に変位させると、可動部材３３がバネ３７の付勢力に抗して斜辺３９ａの傾斜に沿って徐々に下に下がっていく。そして、突出片３４が斜辺３９ａを乗り越えて溝部３９ｂに嵌り込み、バネ３７の付勢力によって可動部材３３が初期位置に戻ると係止片３９は突出片３４に係止される。
【００４８】
次に、上記構成による作用について説明する。遊技盤５及び制御回路ユニット６を本体基部３に取り付ける場合、まず、回動片２４を回転させて解除位置にセットする。そして、遊技盤５の背面５ｃが制御回路ユニット６の支持部材１８の前面１８ａに対面するように遊技盤５を支持部材１８の前面１８ａ側に位置させる。遊技盤５の突起５ｄと支持部材１８の貫通孔１８ｃとの位置を合わせて、支持部材１８の貫通孔１８ｃに遊技盤５の突起５ｄを挿入しながら、遊技盤５を収容部２１に嵌め込んでいく。支持部材１８の前面１８ａに遊技盤５の背面５ｃを突き当てた後、回動片２４を回転させて係止位置にセットすると、遊技盤５と制御回路ユニット６とが一体化する。
【００４９】
次に、本体基部３の制御回路ユニット固定部材２６の係止部２６ａを図５に示すように取り外し位置にセットする。係止部２６ａを取り外し位置にセットした後、図３及び図４に示すように、遊技盤５と制御回路ユニット６とを一体化させたままの状態で、制御回路ユニット６を本体基部３の遊技を行う際に遊技者と対面する側となる前面側から、制御回路装置２０を本体基部３の開口３ｂに挿通させながら、上部縁２２及び下部縁２３の挿通孔２５に制御回路ユニット固定部材２６の係止部２６ａを挿通させる。取り付け枠３０の前面３０ａに上部縁２２及び下部縁２３のそれぞれの背面を突き当てると、制御回路ユニット固定部材２６の係止部２６ａが挿通孔２５から上部縁２２及び下部縁２３のそれぞれの前面に突出する。そして、制御回路ユニット固定部材２６の係止部２６ａを図５に示す取り外し位置から図６に示す固定位置に回動させると、制御回路ユニット６が本体基部３の取り付け枠３０に固定される。
【００５０】
制御回路ユニット６を本体基部３の取り付け枠３０に固定した後、施錠装置３１により前面扉４を本体基部３にロックする。これにより遊技盤５及び制御回路ユニット６の本体基部３への取り付けが完了する。
【００５１】
このようにして遊技盤５を収容部２１に嵌め込んだ後、回動片２４により遊技盤５と制御回路ユニット６とを一体化し、遊技盤５と制御回路ユニット６とを一体化させたままの状態で、遊技盤５及び制御回路ユニット６を、遊技を行う際に遊技者と対面する側となる前面側から本体基部３に取り付けるとともに、挿通孔２５と制御回路ユニット固定部材２６とにより本体基部３と制御回路ユニット６とを一体化して、遊技盤５及び制御回路ユニット６をまとめて本体基部３に取り付けるようにしたので、遊技盤５及び制御回路ユニット６の本体基部３への取り付けを容易に行うことができる。
【００５２】
また、遊技盤５及び制御回路ユニット６をまとめて本体基部３から取り外す場合には、前面扉４と本体基部３とのロックを解除して前面扉４を開放した後、制御回路ユニット固定部材２６の係止部２６ａを固定位置から取り外し位置に回動させ、制御回路ユニット固定部材２６の係止部２６ａと制御回路ユニット６の挿通孔２５とによる係止状態を解除する。これにより、回動片２４により遊技盤５と制御回路ユニット６とが一体化しているので、本体基部３の前面側から遊技盤５と制御回路ユニット６とをまとめて取り出すことができる。
【００５３】
また、遊技盤５だけを本体基部３から取り外す場合には、前面扉４と本体基部３とのロックを解除して前面扉４を開放した後、回動片２４を係止位置から解除位置に回動させ、回動片２４と遊技盤５の前面とによる係止状態を解除した後、上部縁２２と下部縁２３との間から露呈されている遊技盤５の両側面を把持し、支持部材１８の貫通孔１８ｃから遊技盤５の突起５ｄを引き抜くようにして遊技盤５を収容部２１から取り出せば良い。
【００５４】
なお、遊技盤５と制御回路ユニット６とを本体基部３に取り付ける場合、必ずしも遊技盤５と制御回路ユニット６とを一体化してから本体基部３に取り付ける必要はなく、遊技盤５と制御回路ユニット６とを別個にして本体基部３に取り付けても良い。この場合、先ず、前面扉４を開放した状態にして、本体基部３の前面側から、上述したように制御回路ユニット６を本体基部３の取り付け枠３０に固定する。そして、上述したように遊技盤５を制御回路ユニット６の支持部材１８の収容部２１に嵌め込み、遊技盤５を制御回路ユニット６に固定する。このようにして遊技盤５や制御回路ユニット６を本体基部３に取り付ける場合、状況に応じた取り付け作業を行うことができる。
【００５５】
上記実施形態では、収容部２１を支持部材１８の前面１８ａと、この前面１８ａに立設された上部縁２２と下部縁２３とから構成し、上部縁２２と下部縁２３とを一定の間隔を空けて設けることにより遊技盤５の左右両側面を把持できるように露呈させたが、遊技盤５の左右両側面を露呈させる方法はこれに限ることなく、収容部２１を支持部材１８の前面１８ａと、支持部材１８の全周縁に沿って形成された一続きの縁とから構成し、この縁に、収容部２１に遊技盤５が嵌め込まれた際に遊技盤５の側面の一部を露呈させる切り欠きを形成しても良い。
【００５６】
上記実施形態では、支持部材１８の前面１８ａに上部縁２２と下部縁２３とを設けたが、縁の形態はこれに限ることなく、遊技盤５の角部のみを支持する縁、あるいは遊技盤５の上面の一部、下面の一部、及び左右両側面の一部に沿った縁を支持部材１８の前面１８ａに設けても良い。また、支持部材１８の前面１８ａに遊技盤５を収容することができる凹部を形成し、この凹部に遊技盤５を嵌め込むようにしても良い。このように支持部材１８の前面１８ａに遊技盤５の上下左右方向への移動を規制する縁又は凹部が設けられていれば良く、その形態は適宜に決定すれば良い。
【００５７】
上記実施形態では、上部縁２２及び下部縁２３に挿通孔２５を形成したが、これに限ることなく、上述したように縁の形態が異なる場合などには支持部材１８に挿通孔２５を形成しても良く、挿通孔２５を形成する箇所は、遊技盤５や制御回路ユニット６の構成に応じて適宜に決定すれば良い。
【００５８】
上記実施形態では回動片２４を上部縁２２及び下部縁２３のそれぞれの前面に設けたが、回動片２４を支持部材１８の前面１８ａに設けても良い。具体的には、互いに向かい合っている上部縁２２の両端面と下部縁２３の両端面との間のスペースに回動片２４を設け、遊技盤５の左右の両側面に溝を形成し、この溝に回動片２４を係止させれば良い。また、上述したように、支持部材１８の前面１８ａに遊技盤５が嵌め込まれる凹部が形成された場合には、凹部の縁近傍に回動片２４を設け、この回動片２４を凹部に嵌め込まれた遊技盤５の前面に係止させるようにすれば良い。
【００５９】
上記実施形態では、第１一体化手段として回動片２４を用いたが、これに限ることなく、例えば、上部縁２２及び下部縁２３のそれぞれの前面に左右方向にスライドする移動部材を設け、収容部２１に嵌め込まれている遊技盤５の前面を係止する係止位置と、この係止を解除する解除位置との間で移動部材をスライドさせるようにしても良い。
【００６０】
上記実施形態では、支持部材１８に球通路１９及び制御回路装置２０を設けて制御回路ユニット６を構成し、この制御回路ユニット６を本体基部３に取り付けるようにしたが、支持部材１８には、球通路１９と制御回路装置２０とのうち、少なくともいずれか一方が設けられていれば良い。例えば、球通路１９を支持部材１８に設けて、制御回路装置２０を本体基部３に据え置きの状態にし、支持部材１８が本体基部３に取り付けられたときに支持部材１８と制御回路装置２０とを一体化するようにしても良い。また、遊技盤５の背面５ｃに球通路１９を、支持部材１８に制御回路装置２０を設け、遊技盤５を支持部材１８に取り付けたときに支持部材１８と球通路１９とを一体化するようにしても良い。
【図面の簡単な説明】
【００６１】
【図１】本発明を用いたパチンコ機の外観を示す斜視図である。
【図２】パチンコ機の分解斜視図である。
【図３】遊技盤と制御回路ユニットとを一体化した状態で、本体基部に取り付けるときの状態を示す断面図である。
【図４】本体基部に遊技盤及び制御回路ユニットが取り付けられ、前面扉が閉じられたときの状態を示す断面図である。
【図５】制御回路ユニット固定部材の係止部が取り外し位置にセットされた状態を示す正面図である。
【図６】制御回路ユニット固定部材の係止部が固定位置にセットされた状態を示す正面図である。
【図７】施錠装置の概略を示す断面図である。
【符号の説明】
【００６２】
２    パチンコ機（遊技機）
３    本体基部
５    遊技盤
６    制御回路ユニット
５ａ    遊技領域
５ｃ    背面
５ｄ    突起
１８    支持部材
１８ａ    前面（平坦面）
１８ｂ    背面（装置支持部）
１８ｃ    貫通孔（孔部）
１９    球通路
２０    制御回路装置
２１    収容部
２２    上部縁
２３    下部縁
２４    回動片（移動部材）（第１一体化手段）
２５    挿通孔
２６    制御回路ユニット固定部材（係止部材）
【図１】
2005349098.tif 000003
【図２】
2005349098.tif 000004
【図３】
2005349098.tif 000005
【図４】
2005349098.tif 000006
【図５】
2005349098.tif 000007
【図６】
2005349098.tif 000008
【図７】
2005349098.tif 000009